(57)【要約】【課題】湿度に応じた印刷設定値で印刷ジョブを実行する構成において、湿度センサーが故障したとしても、画質の低下を抑制することが可能な画像形成装置を提供する。【解決手段】この画像形成装置では、印刷部１０６は、湿度センサー１５０が故障している場合、湿度センサー１５０が故障した日以前に主制御部１１０により検知された湿度のうち、現在時刻と同じ時刻を含む検知時間帯に検知された湿度に応じた印刷設定値で印刷ジョブを実行する。【選択図】図５
2014123003.tif 000002
【特許請求の範囲】
【請求項１】
日時を計時する計時部と、
湿度を検知するための湿度センサーと、
１日を予め定められた時間間隔で複数に分割し、分割した各時間帯に前記湿度センサーの出力に基づき湿度を検知するとともに、前記湿度センサーの出力に基づき前記湿度センサーが故障しているか否かを判断する湿度検知部と、
前記湿度検知部が検知した湿度を検知日時と対応付けて記憶する記憶部と、
前記湿度検知部が検知した湿度に応じた印刷設定値で印刷ジョブを実行する印刷部と、を備え、
前記印刷部は、前記湿度センサーが故障している場合、前記湿度センサーが故障した日以前に前記湿度検知部により検知された湿度のうち、現在時刻と同じ時刻を含む検知時間帯に検知された湿度に応じた印刷設定値で印刷ジョブを実行することを特徴とする画像形成装置。
【請求項２】
前記印刷部は、前記湿度センサーが故障している場合、前記湿度センサーが故障した日の前日に前記湿度検知部により検知された湿度のうち、現在時刻と同じ時刻を含む検知時間帯に検知された湿度に応じた印刷設定値で印刷ジョブを実行することを特徴とする請求項１に記載の画像形成装置。
【請求項３】
前記記憶部は、前記湿度検知部が検知した複数日分の湿度を検知日時と対応付けて記憶し、
前記印刷部は、前記湿度センサーが故障している場合、前記湿度センサーが故障した日以前に前記湿度検知部により検知された湿度のうち、現在時刻と同じ時刻を含む検知時間帯に検知された複数日分の湿度を平均した平均湿度に応じた印刷設定値で印刷ジョブを実行することを特徴とする請求項１または２に記載の画像形成装置。
【請求項４】
画像形成装置の設置場所を示す情報を取得する取得部を備え、
前記記憶部は、前記湿度検知部が検知した湿度を検知日時および画像形成装置の設置場所と対応付けて記憶し、
前記印刷部は、前記湿度センサーが故障している場合、前記湿度センサーが故障した日以前に前記湿度検知部により検知された湿度のうち、現在の画像形成装置の設置場所と同じ場所において検知された湿度に応じた印刷設定値で印刷ジョブを実行することを特徴とする請求項１〜３のいずれかに記載の画像形成装置。
【請求項５】
天気を示す情報を取得する取得部を備え、
前記記憶部は、前記湿度検知部が検知した湿度を検知日時および湿度検知時の天気と対応付けて記憶し、
前記印刷部は、前記湿度センサーが故障している場合、前記湿度センサーが故障した日以前に前記湿度検知部により検知された湿度のうち、現在の天気と実質的に同じ天気のときに検知された湿度に応じた印刷設定値で印刷ジョブを実行することを特徴とする請求項１〜４のいずれかに記載の画像形成装置。
【請求項６】
前記湿度センサーを駆動するための駆動電圧を生成して前記湿度センサーに印加する電圧生成部を備え、
前記電圧生成部は、前記駆動電圧が印加された前記湿度センサーの出力が前記湿度センサーの故障を示す値になった場合、前記駆動電圧とは異なる周波数の確認用電圧を前記湿度センサーに印加し、
前記湿度検知部は、前記駆動電圧が印加された前記湿度センサーの出力が前記湿度センサーの故障を示す値になったことに加えて、前記確認用電圧が印加された前記湿度センサーの出力が前記湿度センサーの故障を示す値になった場合に、前記湿度センサーが故障していると判断することを特徴とする請求項１〜５のいずれかに記載の画像形成装置。
【発明の詳細な説明】
【技術分野】
【０００１】
本発明は、湿度センサーを備えた画像形成装置に関する。
【背景技術】
【０００２】
従来、画像形成装置として、感光体ドラムに静電潜像を形成し、感光体ドラムに形成した静電潜像を現像してトナー像を得るようにしたものが知られている。このような画像形成装置は、感光体ドラムの表面を帯電させる帯電ローラーや、感光体ドラムの表面にトナーを供給する現像ローラー、および、トナー像を用紙に転写する転写ローラーなどを含む印刷部を備える。そして、画像形成時には、印刷部の各ローラーに対して帯電バイアスや現像バイアスが印加される。
【０００３】
ここで、帯電ローラーや現像ローラーなどの抵抗値は、画像形成装置の周辺湿度によって変化する。このため、従来では、画像形成装置に湿度センサーを設置するとともに、湿度センサーの出力に基づき画像形成装置の周辺湿度を検知し、検知した湿度に応じた印刷設定値（たとえば、帯電ローラーや現像ローラーなどに印加する電圧値）で印刷ジョブを実行している（たとえば、特許文献１参照）。
【先行技術文献】
【特許文献】
【０００４】
【特許文献１】特開２００８−５８５２７号公報
【発明の概要】
【発明が解決しようとする課題】
【０００５】
湿度センサーの出力に基づき得られる湿度に応じた印刷設定値で印刷ジョブを実行する構成では、湿度センサーが故障した場合、現在の湿度に応じた印刷設定値で印刷ジョブを実行することができない。このため、湿度センサーが故障した場合には、たとえば、予め定められた固定的な印刷設定値で印刷ジョブが実行される。
【０００６】
しかし、画像形成装置の設置場所によっては、空調がオンオフされるなどすることにより、低温低湿状態になる時間帯があったり高温高湿状態になる時間帯があったりする。したがって、湿度センサーが故障した場合に予め定められた固定的な印刷設定値で印刷ジョブが実行されるようになっていると、現在の湿度に応じた印刷設定値とは掛け離れた印刷設定値で印刷ジョブが実行されてしまうことがある。この場合には、画質が低下するという不都合が生じる。
【０００７】
本発明は、上記課題を解決するためになされたものであり、湿度に応じた印刷設定値で印刷ジョブを実行する構成において、湿度センサーが故障したとしても、画質の低下を抑制することが可能な画像形成装置を提供することを目的とする。
【課題を解決するための手段】
【０００８】
上記目的を達成するために、本発明の画像形成装置は、日時を計時する計時部と、湿度を検知するための湿度センサーと、１日を予め定められた時間間隔で複数に分割し、分割した各時間帯に湿度センサーの出力に基づき湿度を検知するとともに、湿度センサーの出力に基づき湿度センサーが故障しているか否かを判断する湿度検知部と、湿度検知部が検知した湿度を検知日時と対応付けて記憶する記憶部と、湿度検知部が検知した湿度に応じた印刷設定値で印刷ジョブを実行する印刷部と、を備える。そして、印刷部は、湿度センサーが故障している場合、湿度センサーが故障した日以前に湿度検知部により検知された湿度のうち、現在時刻と同じ時刻を含む検知時間帯に検知された湿度に応じた印刷設定値で印刷ジョブを実行する。
【０００９】
本発明では、湿度センサーが故障している場合、印刷部は、湿度センサーが故障した日以前に湿度検知部により検知された湿度のうち、現在時刻と同じ時刻を含む検知時間帯に検知された湿度に応じた印刷設定値で印刷ジョブを実行する。これにより、低温低湿状態になる時間帯があったり高温高湿状態になる時間帯があったりする場所に画像形成装置が設置されている場合において、湿度センサーの故障により現在の湿度を検知できなかったとしても、現在の湿度に応じた印刷設定値とは掛け離れた印刷設定値で印刷ジョブが実行されるのを抑制することができる。すなわち、画質の低下を抑制することができる。
【発明の効果】
【００１０】
以上のように、本発明によれば、画像形成装置の周辺湿度に応じた印刷設定値で印刷ジョブを実行する構成において、湿度センサーが故障したとしても、画質の低下を抑制することができる。
【図面の簡単な説明】
【００１１】
【図１】本発明の一実施形態による画像形成装置の全体構成図
【図２】図１に示した画像形成装置のハードウェア構成を説明するためのブロック図
【図３】図１に示した画像形成装置に設置される湿度センサーの回路構成を説明するための図
【図４】図１に示した画像形成装置に設置される湿度センサーの出力波形を説明するための図
【図５】図１に示した画像形成装置において印刷ジョブが実行されるときの動作を説明するためのフローチャート
【発明を実施するための形態】
【００１２】
本発明の一実施形態による画像形成装置について、カラーレーザープリンターを例にとって説明する。
【００１３】
（画像形成装置の全体構成）
図１に示すように、本実施形態の画像形成装置１００は、給紙部１０１、用紙搬送部１０２、画像形成部１０３、中間転写部１０４および定着部１０５を備える。なお、給紙部１０１、用紙搬送部１０２、画像形成部１０３、中間転写部１０４および定着部１０５の各部は印刷ジョブを実行する部分であり、以下の説明では総じて印刷部１０６と称する場合がある。
【００１４】
給紙部１０１は、用紙Ｐを収容するカセット１１を含む。そして、給紙部１０１は、印刷ジョブが実行されると、カセット１１内の用紙Ｐを用紙搬送部１０２の用紙搬送路ＰＬに供給する。給紙部１０１には、カセット１１内の用紙Ｐを１枚ずつ引き出すためのピックアップローラー１２が設けられている。また、給紙部１０１には、カセット１１内から引き出される用紙Ｐの重送を抑制しつつ、用紙Ｐを用紙搬送路ＰＬに供給するためのローラー対１３が設けられている。このローラー対１３は、給紙ローラーと分離ローラーとで構成される。
【００１５】
用紙搬送部１０２は、用紙Ｐを用紙搬送路ＰＬに沿って搬送し、中間転写部１０４および定着部１０５を経由して排紙トレイ２１に導く。この用紙搬送部１０２は、用紙搬送路ＰＬに回転可能に設置された搬送ローラー対２２を複数含む。また、用紙搬送部１０２には、搬送中の用紙Ｐを中間転写部１０４の手前で待機させ、タイミングを合わせて中間転写部１０４に送り出すレジストローラー対２３も設けられている。
【００１６】
画像形成部１０３は、４色分のトナー像形成部３０（ブラックのトナー像を形成するためのトナー像形成部３０Ｂｋ、イエローのトナー像を形成するためのトナー像形成部３０Ｙ、シアンのトナー像を形成するためのトナー像形成部３０Ｃ、および、マゼンタのトナー像を形成するためのトナー像形成部３０Ｍ）を含む。なお、トナー像形成部３０Ｂｋ、３０Ｙ、３０Ｃおよび３０Ｍは、互いに異なる色のトナー像を形成するためのものであるが、いずれも基本的に同様の構造である。したがって、以下の説明では、各色を表す符号（Ｂｋ、Ｙ、ＣおよびＭ）を省略する。
【００１７】
各色のトナー像形成部３０のそれぞれは、感光体ドラム１、帯電装置２、現像装置３およびドラム清掃装置４を有する。また、画像形成部１０３は、露光装置５を含む。
【００１８】
中間転写部１０４は、無端状の中間転写ベルト４１と、各トナー像形成部３０にそれぞれ１つずつ割り当てられた１次転写ローラー４２Ｂｋ、４２Ｙ、４２Ｃおよび４２Ｍとを含む。これら１次転写ローラー４２Ｂｋ、４２Ｙ、４２Ｃおよび４２Ｍは、対応する感光体ドラム１との間で中間転写ベルト４１を挟み込んでいるとともに、後述する高圧電源部１３０から転写電圧が印加されるようになっている。
【００１９】
また、中間転写部１０４は、駆動ローラー４３および従動ローラー４４を含む。駆動ローラー４３および従動ローラー４４は、１次転写ローラー４２Ｂｋ、４２Ｙ、４２Ｃおよび４２Ｍと共に中間転写ベルト４１を張架している。これにより、駆動ローラー４３が回転駆動することによって、中間転写ベルト４１が主走査方向と直交する方向に周回する。さらに、中間転写部１０４は、２次転写ローラー４５を含む。この２次転写ローラー４５は、駆動ローラー４３との間で中間転写ベルト４１を挟み込んでいるとともに、後述する高圧電源部１３０から転写電圧が印加されるようになっている。
【００２０】
そして、各トナー像形成部３０で形成されたトナー像（感光体ドラム１が担持するトナー像）は、１次転写ローラー４２Ｂｋ、４２Ｙ、４２Ｃおよび４２Ｍに転写電圧が印加されることにより、順次、ずれなく重畳して中間転写ベルト４１に１次転写される。すなわち、中間転写ベルト４１は、各感光体ドラム１からトナー像の転写を受ける。その後、中間転写ベルト４１に１次転写されたトナー像は、２次転写ローラー４５に転写電圧が印加されることより、用紙Ｐに２次転写される。
【００２１】
また、中間転写部１０４は、ベルト清掃装置４６も含む。このベルト清掃装置４６は、中間転写ベルト４１から用紙Ｐへのトナー像の２次転写の後、中間転写ベルト４１の清掃を行う。
【００２２】
定着部１０５は、用紙Ｐに転写されたトナー像を加熱・加圧して定着させる。この定着部１０５は、加熱ローラー５１および加圧ローラー５２を含む。加熱ローラー５１は、ヒーター５３を内蔵する。加圧ローラー５２は、加熱ローラー５１に圧接する。そして、トナー像が転写された用紙Ｐは、加熱ローラー５１と加圧ローラー５２との間に形成される定着ニップを通過することで、加熱・加圧される。これにより、用紙Ｐにトナー像が定着され、印刷が完了する。その後、印刷済みの用紙Ｐは、排紙トレイ２１に送られる。
【００２３】
また、画像形成装置１００は、操作パネル１０７を備える。この操作パネル１０７は、たとえば、タッチパネル付きの液晶表示部を含む。そして、操作パネル１０７は、画像形成装置１００の状態を示すメッセージを表示したり、印刷ジョブの設定値などの入力を受け付けるソフトキーを表示したりする。また、操作パネル１０７には、テンキーやスタートキーなどのハードキーも設けられている。
【００２４】
（画像形成装置のハードウェア構成）
図２に示すように、画像形成装置１００は、主制御部１１０を備える。この主制御部１１０は、ＣＰＵ１１１、画像処理部１１２、記憶部１１３およびＲＴＣ１１４（本発明の「計時部」に相当）を含む。
【００２５】
画像処理部１１２は、画像処理専用のＡＳＩＣやメモリーなどからなっており、画像データに対して各種画像処理（拡大／縮小、濃度変換およびデータ形式変換など）を施す。記憶部１１３は、ＲＯＭやＲＡＭなどからなり、たとえば、印刷ジョブの実行に必要なプログラムおよびデータがＲＯＭに記憶され、それらプログラムおよびデータがＲＡＭに展開される。ＲＴＣ（ｒｅａｌ−ｔｉｍｅ  ｃｌｏｃｋ）１１４は、計時専用のチップであり、主電源が切られている間も内蔵電池から電力供給を受けて動作する。
【００２６】
また、主制御部１１０は、給紙部１０１、用紙搬送部１０２、画像形成部１０３、中間転写部１０４、定着部１０５および操作パネル１０７と接続される。そして、主制御部１１０は、記憶部１１３に記憶されたプログラムおよびデータに基づき、画像形成装置１００の各部を制御する。
【００２７】
また、主制御部１１０は、通信部１２０と接続される。通信部１２０は、外部装置２００とネットワークＮＴを介して接続され、主制御部１１０から指示を受け、外部装置２００との間で通信する。これにより、外部装置２００から送信される画像データに基づき印刷を行うことができる。外部装置２００は、たとえば、ユーザー端末やサーバーなどである。
【００２８】
また、主制御部１１０は、印刷部１０６のうち高電圧を用いる各部に電圧を印加するための高圧電源部１３０と接続される。たとえば、高圧電源部１３０は、主制御部１１０から指示を受け、帯電装置２（帯電ローラー２ａ）に対して、直流電圧に交流電圧を重畳した帯電電圧を印加する。
【００２９】
また、主制御部１１０は、サーミスターなどの温度センサー１４０と接続され、温度センサー１４０の出力に基づき画像形成装置１００の周辺の温度を検知する。さらに、主制御部１１０は、湿度センサー１５０と接続され、温度センサー１４０および湿度センサー１５０の各出力に基づき画像形成装置１００の周辺の相対湿度を検知する。すなわち、主制御部１１０は、本発明の「湿度検知部」に相当する。
【００３０】
そして、主制御部１１０は、画像形成装置１００の周辺の相対湿度に応じた印刷設定値（たとえば、印刷部１０６の各部に供給する電圧値など）を決定する。一例として、低温低湿の環境下においては、帯電ローラー２ａが乾燥するので、帯電ローラー２ａの抵抗値が上昇し、感光体ドラム１と帯電ローラー２ａとの間で放電が起こり難くなる。一方で、高温高湿の環境下においては、帯電ローラー２ａが吸湿するので、帯電ローラー２ａの抵抗値が低下し、感光体ドラム１と帯電ローラー２ａとの間での放電量が増加し易くなる。すなわち、画像形成装置１００の設置場所の環境（画像形成装置１００の周辺の相対湿度）によって帯電性能が変化し、画質に影響を与える。
【００３１】
このため、主制御部１１０は、温度センサー１４０および湿度センサー１５０の各出力に基づき画像形成装置１００の周辺の相対湿度を検知し、検知した相対湿度に基づき帯電ローラー２ａに印加すべき帯電電圧を決定する。たとえば、帯電電圧を決定するための情報（テーブルなど）が記憶部１１３に記憶され、主制御部１１０は、検知した相対湿度と記憶部１１３に記憶された情報とを照合して電圧値を決定する。そして、主制御部１１０は、高圧電源部１３０に指示し、画像形成装置１００の周辺の相対湿度に応じた帯電電圧を帯電装置２に印加させる。
【００３２】
なお、主制御部１１０は、現像電圧や転写電圧などについても、画像形成装置１００の周辺の相対湿度に応じた電圧値を決定し、印加すべき電圧を高圧電源部１３０に指示する。すなわち、印刷部１０６は、主制御部１１０が検知した相対湿度に応じた印刷設定値で印刷ジョブを実行することになる。
【００３３】
（湿度センサーの出力に基づく湿度検知）
図３に示すように、湿度センサー１５０は、高分子系の抵抗変化型湿度センサーであって、相対湿度が高くなれば抵抗値が小さくなり、相対湿度が低くなれば抵抗値が大きくなるという特性を有する。すなわち、湿度センサー１５０は、画像形成装置１００の周辺の相対湿度によって出力を変動させる。湿度センサー１５０の構造としては、基板上に形成された一対の櫛型電極が一定のギャップを介して互いに噛み合うように配置され、感湿材料としての高分子膜が塗布されたものとなっている。このような構造により、相対湿度が高くなると、高分子膜の吸湿が多くなることで湿度センサー１５０の抵抗値が小さくなり、相対湿度が低くなると、高分子膜の吸湿が少なくなることで湿度センサー１５０の抵抗値が大きくなる。
【００３４】
湿度センサー１５０に接続される主制御部１１０は、湿度センサー１５０を駆動するための駆動電圧を生成する電圧生成部１１０ａ、および、湿度センサー１５０の出力電圧を検知するための電圧検知部１１０ｂを有する。電圧生成部１１０ａは、振幅ＶｃｃのＣＬＫ１信号（図４参照）と、ＣＬＫ１信号に対して極性を反転させたＣＬＫ２信号（図４参照）とを出力する。そして、ＣＬＫ１信号の出力端には、湿度センサー１５０の一方端が接続され、ＣＬＫ２信号の出力端には、抵抗Ｒ１を介して湿度センサー１５０の他方端が接続される。すなわち、ＣＬＫ１信号の出力端とＣＬＫ２信号の出力端との間に湿度センサー１５０および抵抗Ｒ１が直列に接続されている。
【００３５】
また、湿度センサー１５０と抵抗Ｒ１との接続点Ｐには抵抗Ｒ２の一端が接続され、抵抗Ｒ２の他端は電圧検知部１１０ｂに接続されている。すなわち、湿度センサー１５０と抵抗Ｒ１とで分圧された電圧Ｖｈｕｍ（図４参照）が湿度センサー１５０の出力として主制御部１１０に入力される。なお、抵抗Ｒ２の一端には抵抗Ｒ３の一端が接続され、その抵抗Ｒ３の他端は接地されている。さらに、抵抗Ｒ２の他端にコンデンサＣの一端が接続され、そのコンデンサＣの他端が接地されていることで、ノイズフィルター回路が構成されている。
【００３６】
湿度センサー１５０の両端に電圧が印加されると、たとえば、図４に示すような波形の電圧Ｖｈｕｍが湿度センサー１５０から出力される。湿度センサー１５０から出力される電圧Ｖｈｕｍは、相対湿度に応じて振幅が変化する。そして、主制御部１１０は、ＣＬＫ１信号がＨレベルの期間における湿度センサー１５０の出力（電圧Ｖｈｕｍ）に基づき相対湿度を検知する。なお、ＣＬＫ１信号がＬレベルの期間における湿度センサー１５０の出力（電圧Ｖｈｕｍ）に基づき相対湿度を検知してもよい。
【００３７】
ここで、湿度センサー１５０の抵抗値は、相対湿度の変化だけでなく、温度変化にも依存する（温度が高いほど湿度センサー１５０の抵抗値が小さくなる）。したがって、湿度センサー１５０の出力だけでは、相対湿度を正確に検知できない。このため、たとえば、湿度センサー１５０の出力（電圧Ｖｈｕｍ）と相対湿度との対応関係が予め定めた温度範囲毎に規定され、湿度変換情報として記憶部１１３に記憶されている。そして、主制御部１１０は、温度センサー１４０および湿度センサー１５０の各出力を取得し、温度変換情報と照合して相対湿度を検知する。
【００３８】
（湿度センサーの故障検知）
湿度センサー１５０が故障すると、湿度センサー１５０の出力（電圧Ｖｈｕｍ）が異常な値を示す。たとえば、湿度センサー１５０が断線した場合には、湿度センサー１５０の抵抗値が無限大となり、湿度センサー１５０の出力により示される相対湿度が０％またはその近傍の値（現実にはありえない値）となる。一方で、湿度センサー１５０が短絡した場合には、湿度センサー１５０の出力により示される相対湿度が１００％またはその近傍の値（現実にはありえない値）となる。そこで、主制御部１１０は、湿度センサー１５０の出力が予め定められた電圧範囲から外れたとき（湿度センサー１５０の出力が現実にはありえない相対湿度を示す値になったとき）、湿度センサー１５０が故障していると判断する。あるいは、主制御部１１０は、湿度センサー１５０の出力により示される相対湿度が急激に変化したとき（たとえば、相対湿度の変化幅が数十％を超えたとき）、湿度センサー１５０が故障していると判断する。
【００３９】
ただし、湿度センサー１５０が故障していないにもかかわらず、ノイズなどに起因して湿度センサー１５０の出力異常が一時的に発生する場合もある。このため、電圧生成部１１ａは、湿度センサー１５０の出力が湿度センサー１５０の故障を示す値になったとき、確認用電圧を湿度センサー１５０に印加する。たとえば、電圧生成部１１０ａは、通常の湿度検知時には、ＣＬＫ１信号およびＣＬＫ２信号の周波数を１ｋＨｚに設定する。そして、電圧生成部１１０ａは、湿度センサー１５０の出力が異常値になったときには、ＣＬＫ１信号およびＣＬＫ２信号の周波数を２ｋＨｚに変更し、さらに、０．５ｋＨｚに変更する（湿度センサー１５０への印加電圧の周波数を段階的に変更する）。すなわち、確認用電圧というのは、通常の湿度検知時に使用する駆動電圧の周波数とは異なる周波数の電圧である。
【００４０】
そして、主制御部１１０は、湿度センサー１５０への印加電圧の周波数（１ｋＨｚ、２ｋＨｚおよび０．５ｋＨｚ）を段階的に変更したときの湿度センサー１５０の各出力を確認する。ここで、湿度センサー１５０が実際に故障していれば、湿度センサー１５０への印加電圧の周波数を変更したとしても、湿度センサー１５０の各出力は湿度センサー１５０の故障を示す値となる。したがって、主制御部１１０は、湿度センサー１５０への印加電圧の周波数を段階的に変更したときの湿度センサー１５０の各出力の全てが湿度センサー１５０の故障を示す値になっている場合に、湿度センサー１５０が故障していると判断する。すなわち、主制御部１１０は、通常の湿度検知時に用いる駆動電圧が印加された湿度センサー１５０の出力が湿度センサー１５０の故障を示す値となったことに加えて、確認用電圧が印加された湿度センサー１５０の出力が湿度センサー１５０の故障を示す値になった場合に、湿度センサー１５０が故障していると判断する。
【００４１】
（湿度センサーまたは温度センサーが故障したときの印刷ジョブの実行）
主制御部１１０は、１日を予め定められた時間間隔（たとえば、３０分間隔）で複数に分割し、分割した各時間帯に１回ずつ、温度センサー１４０および湿度センサー１５０の各出力に基づき画像形成装置１００の周辺の相対湿度を検知する。そして、主制御部１１０は、検知した相対湿度を検知日時と対応付けて記憶部１１３に記憶させる。たとえば、記憶部１１３は、複数日分（たとえば、１か月分）の相対湿度を検知日時と対応付けて記憶する。
【００４２】
そして、主制御部１１０は、印刷ジョブの実行指示を受けたとき、湿度センサー１５０の出力に基づき、湿度センサー１５０が故障しているか否かを判断する。そして、主制御部１１０は、湿度センサー１５０が故障していないと判断すれば、温度センサー１４０および湿度センサー１５０の各出力に基づき画像形成装置１００の周辺の相対湿度を検知し、現在の相対湿度に応じた印刷設定値で印刷部１０６に印刷ジョブを実行させる。
【００４３】
一方で、主制御部１１０は、湿度センサー１５０が故障していると判断すれば、故障モードに移行する。故障モードに移行すると、主制御部１１０は、湿度センサー１５０が故障した日以前に検知した相対湿度のうち、現在時刻と同じ時刻を含む検知時間帯に検知した相対湿度を抽出し、その抽出した相対湿度に基づき印刷設定値を決定する。すなわち、印刷部１０６は、湿度センサー１５０が故障している場合、湿度センサー１５０が故障した日以前に主制御部１１０により検知された相対湿度のうち、現在時刻と同じ時刻を含む検知時間帯に検知された相対湿度に応じた印刷設定値で印刷ジョブを実行する。
【００４４】
具体的には、主制御部１１０は、湿度センサー１５０が故障した日の前日に検知した相対湿度のうち、現在時刻と同じ時刻を含む検知時間帯に検知した相対湿度に基づき印刷設定値を決定する。言い換えると、主制御部１１０は、湿度センサー１５０が故障した日の前日に検知した相対湿度のうち、現在時刻と同じ時刻に最も近い検知時刻（現在時刻と同じ時刻との時間差が最も小さい検知時刻）に検知した相対湿度に基づき印刷設定値を決定する。一例として、現在時刻が１０時２０分であれば、主制御部１１０は、前日の１０時２０分に最も近い検知時刻（たとえば、１０時３０分）に検知した相対湿度に基づき印刷設定値を決定する。あるいは、主制御部１１０は、湿度センサー１５０が故障した日以前に検知した相対湿度のうち、現在時刻と同じ時刻を含む検知時間帯に検知した複数日分（たとえば、１か月分）の相対湿度を平均した平均湿度に基づき印刷設定値を決定する。
【００４５】
ただし、画像形成装置１００の設置場所は常に同じ場所とは限らず、設置場所が変更されることがある。このように、画像形成装置１００の設置場所が変更されると、空調などの影響により、従前の設置場所と現在の設置場所とで相対湿度に違いが生じる可能性がある。このため、印刷部１０６は、湿度センサー１５０が故障している場合、湿度センサー１５０が故障した日以前に主制御部１１０により検知された相対湿度のうち、現在の画像形成装置１００の設置場所と同じ場所において検知された相対湿度に応じた印刷設定値で印刷ジョブを実行する。
【００４６】
たとえば、主制御部１１０は、現在の相対湿度と前日の相対湿度との差の絶対値が予め定められた値よりも大きい場合に、画像形成装置１００の設置場所が変更された可能性があるとして、画像形成装置１００の設置場所を示す情報の取得を操作パネル１０７に行わせる。あるいは、主制御部１１０は、長期間（たとえば、１ヶ月間）にわたって画像形成装置１００の主電源が切られた状態から主電源が投入された場合に、画像形成装置１００の設置場所が変更された可能性があるとして、画像形成装置１００の設置場所を示す情報の取得を操作パネル１０７に行わせる。主制御部１１０から指示を受けた操作パネル１０７は、たとえば、画像形成装置１００の設置場所を示す情報の入力を受け付けるための受付画面を表示する。このように、画像形成装置１００の設置場所を示す情報の入力受付を操作パネル１０７に行わせる場合には、操作パネル１０７が本発明の「取得部」に相当する。
【００４７】
これにより、主制御部１１０が相対湿度を検知したときに、主制御部１１０により検知された相対湿度を検知日時および画像形成装置１００の設置場所と対応付けて記憶部１１３に記憶させることができる。そして、主制御部１１０は、湿度センサー１５０が故障している場合に印刷ジョブの実行指示を受けたとき、湿度センサー１５０が故障した日以前に検知した相対湿度のうち、現在の画像形成装置１００の設置場所と同じ場所において検知した相対湿度に基づき印刷設定値を決定し、その印刷設定値で印刷部１０６に印刷ジョブを実行させる。
【００４８】
なお、印刷部１０６は、現在の画像形成装置１００の設置場所が前日と同じである場合には、湿度センサー１５０が故障した日の前日に主制御部１１０により検知された相対湿度に応じた印刷設定値で印刷ジョブを実行する。さらに、印刷部１０６は、現在の画像形成装置１００の設置場所において主制御部１１０により検知された相対湿度が記憶部１１３に記憶されていない場合（記憶部１１３に記憶された１か月分の相対湿度が現在の画像形成装置１００の設置場所とは異なる場所において主制御部１１０により検知されたものである場合）にも、湿度センサー１５０が故障した日の前日に主制御部１１０により検知された相対湿度に応じた印刷設定値で印刷ジョブを実行する。すなわち、印刷部１０６は、湿度センサー１５０が故障した日の前日に主制御部１１０により検知された相対湿度に応じた印刷設定値を優先する。
【００４９】
また、画像形成装置１００の周辺の相対湿度は、検知時の天気によっても左右される。このため、印刷部１０６は、湿度センサー１５０が故障している場合、湿度センサー１５０が故障した日以前に主制御部１１０により検知された相対湿度のうち、現在の天気と実質的に同じ天気のときに検知された相対湿度に応じた印刷設定値で印刷ジョブを実行する。
【００５０】
たとえば、主制御部１１０は、通信部１２０に指示し、天気を示す情報をネットワークＮＴを介して取得させる。この場合には、通信部１２０が本発明の「取得部」に相当する。あるいは、主制御部１１０は、操作パネル１０７に指示し、天気を示す情報の入力受付を行わせ、天気を示す情報を取得させる。この場合には、操作パネル１０７が本発明の「取得部」に相当する。なお、天気を示す情報に季節を示す情報が付加されていてもよい。
【００５１】
これにより、主制御部１１０が相対湿度を検知したときに、主制御部１１０により検知された相対湿度を検知日時および天気（季節）と対応付けて記憶部１１３に記憶させることができる。そして、主制御部１１０は、湿度センサー１５０が故障している場合に印刷ジョブの実行指示を受けたとき、湿度センサー１５０が故障した日以前に検知した相対湿度のうち、現在の天気（季節）と実質的に同じ天気のときに検知した相対湿度に基づき印刷設定値を決定し、その印刷設定値で印刷部１０６に印刷ジョブを実行させる。
【００５２】
なお、印刷部１０６は、現在の天気が前日と同じである場合には、湿度センサー１５０が故障した日の前日に主制御部１１０により検知された相対湿度に応じた印刷設定値で印刷ジョブを実行する。また、湿度センサー１５０が故障した日以前に主制御部１１０により検知された相対湿度のうち、現在の画像形成装置１００の設置場所と同じ場所で、かつ、現在の天気と実質的に同じ天気のときに検知された相対湿度に応じた印刷設定値で印刷部１０６が印刷ジョブを実行するようになっていてもよい。
【００５３】
ところで、主制御部１１０は、温度センサー１４０および湿度センサー１５０の各出力に基づき、画像形成装置１００の周辺の相対湿度を検知する。言い換えると、湿度センサー１５０が故障していなかったとしても、温度センサー１４０が故障していれば、正確な相対湿度を検知することができない。
【００５４】
このため、主制御部１１０は、湿度センサー１５０が故障していなかったとしても、温度センサー１４０が故障している場合（温度センサー１４０の出力が温度センサー１４０の故障を示す値になった場合）には、温度センサー１４０が故障した日以前に検知した相対湿度のうち、現在時刻と同じ時刻を含む検知時間帯に検知された相対湿度に応じた印刷設定値で印刷部１０６に印刷ジョブを実行させる。
【００５５】
以下に、図５に示すフローチャートに沿って、印刷ジョブを実行するときの動作について説明する。
【００５６】
まず、図５のフローチャートのスタート時点では、主制御部１１０により検知された相対湿度が記憶部１１３に記憶されているとする。なお、記憶部１１３に記憶された相対湿度は、検知日時、画像形成装置１００の設置場所および天気と対応付けられている。そして、図５のフローチャートは、印刷ジョブの実行指示を受けたときにスタートする。
【００５７】
ステップＳ１において、主制御部１１０は、湿度センサー１５０の出力に基づき、湿度センサー１５０が故障しているか否かを判断する。その結果、湿度センサー１５０が故障していなければ、ステップＳ２に移行する。ステップＳ２に移行すると、主制御部１１０は、現在の相対湿度に応じた印刷設定値で印刷部１０６に印刷ジョブを実行させる。
【００５８】
一方で、ステップＳ１において、湿度センサー１５０が故障していると主制御部１１０が判断した場合には、ステップＳ３に移行する。ステップＳ３に移行すると、主制御部１１０は、湿度センサー１５０が故障した日以前に検知した相対湿度のうち、現在時刻と同じ時刻を含む検知時間帯に検知した相対湿度を抽出する。たとえば、主制御部１１０は、湿度センサー１５０が故障した日の前日に検知した相対湿度のうち、現在時刻と同じ時刻を含む検知時間帯に検知した相対湿度を抽出する。
【００５９】
そして、ステップＳ４において、主制御部１１０は、取得した相対湿度に応じた印刷設定値を取得する。その後、ステップＳ５において、主制御部１１０は、取得した印刷設定値で印刷部１０６に印刷ジョブを実行させる。
【００６０】
本実施形態の画像形成装置１００は、上記のように、日時を計時するＲＴＣ１１４（計時部）と、相対湿度（湿度）を検知するための湿度センサー１５０と、１日を予め定められた時間間隔で複数に分割し、分割した各時間帯に湿度センサー１５０の出力に基づき相対湿度を検知するとともに、湿度センサー１５０の出力に基づき湿度センサー１５０が故障しているか否かを判断する主制御部１１０（湿度検知部）と、主制御部１１０が検知した相対湿度を検知日時と対応付けて記憶する記憶部１１３と、主制御部１１０が検知した相対湿度に応じた印刷設定値で印刷ジョブを実行する印刷部１０６と、を備える。そして、印刷部１０６は、湿度センサー１５０が故障している場合、湿度センサー１５０が故障した日以前に主制御部１１０により検知された相対湿度のうち、現在時刻と同じ時刻を含む検知時間帯に検知された相対湿度に応じた印刷設定値で印刷ジョブを実行する。
【００６１】
本実施形態では、湿度センサー１５０が故障している場合、印刷部１０６は、湿度センサー１５０が故障した日以前に主制御部１１０により検知された相対湿度のうち、現在時刻と同じ時刻を含む検知時間帯に検知された相対湿度に応じた印刷設定値で印刷ジョブを実行する。これにより、低温低湿状態になる時間帯があったり高温高湿状態になる時間帯があったりする場所に画像形成装置１００が設置されている場合において、湿度センサー１５０の故障により現在の相対湿度を検知できなかったとしても、現在の相対湿度に応じた印刷設定値とは掛け離れた印刷設定値で印刷ジョブが実行されるのを抑制することができる。すなわち、画質の低下を抑制することができる。
【００６２】
ここで、画像形成装置１００が常に同じ場所に設置されていたとしても、その設置場所における現在の相対湿度と３〜６ヶ月程度前の相対湿度とが大きく異なっている場合がある。そこで、本実施形態では、上記のように、印刷部１０６は、湿度センサー１５０が故障している場合、湿度センサー１５０が故障した日の前日に主制御部１１０により検知された相対湿度のうち、現在時刻と同じ時刻を含む検知時間帯に検知された相対湿度に応じた印刷設定値で印刷ジョブを実行する。
【００６３】
また、本実施形態では、上記のように、記憶部１１３は、主制御部１１０が検知した複数日分（１か月分）の相対湿度を検知日時と対応付けて記憶する。そして、印刷部１０６は、湿度センサー１５０が故障している場合、湿度センサー１５０が故障した日以前に主制御部１１０により検知された相対湿度のうち、現在時刻と同じ時刻を含む検知時間帯に検知された複数日分の相対湿度を平均した平均湿度に応じた印刷設定値で印刷ジョブを実行する。これにより、現在日を含む複数日間の相対湿度が大きくばらついていたとしても、現在の相対湿度に近い相対湿度に応じた印刷設定値で印刷ジョブを実行することができる。
【００６４】
また、本実施形態では、上記のように、画像形成装置１００の設置場所を示す情報を取得する操作パネル１０７（取得部）を備える。さらに、記憶部１１３は、主制御部１１０が検知した相対湿度を検知日時および画像形成装置１００の設置場所と対応付けて記憶する。そして、印刷部１０６は、湿度センサー１５０が故障している場合、湿度センサー１５０が故障した日以前に主制御部１１０により検知された相対湿度のうち、現在の画像形成装置１００の設置場所と同じ場所において検知された相対湿度に応じた印刷設定値で印刷ジョブを実行する。これにより、画像形成装置１００の設置場所が変更されていたとしても、現在の相対湿度に近い相対湿度に応じた印刷設定値で印刷ジョブを実行することができる。
【００６５】
また、本実施形態では、上記のように、天気を示す情報を取得する通信部１２０（取得部）または操作パネル１０７（取得部）を備える。さらに、記憶部１１３は、主制御部１１０が検知した相対湿度を検知日時および湿度検知時の天気と対応付けて記憶する。そして、印刷部１０６は、湿度センサー１５０が故障している場合、湿度センサー１５０が故障した日以前に主制御部１１０により検知された相対湿度のうち、現在の天気と実質的に同じ天気のときに検知された相対湿度に応じた印刷設定値で印刷ジョブを実行する。これにより、天気に起因する相対湿度の変動が大きい場所に画像形成装置１００が設置されていたとしても、現在の相対湿度に近い相対湿度に応じた印刷設定値で印刷ジョブを実行することができる。
【００６６】
また、本実施形態では、上記のように、湿度センサー１５０を駆動するための駆動電圧を生成して湿度センサー１５０に印加する電圧生成部１１０ａを備え、その電圧生成部１１０ａは、駆動電圧が印加された湿度センサー１５０の出力が湿度センサー１５０の故障を示す値になった場合、駆動電圧とは異なる周波数の確認用電圧を湿度センサー１５０に印加する。そして、主制御部１１０は、駆動電圧が印加された湿度センサー１５０の出力が湿度センサー１５０の故障を示す値になったことに加えて、確認用電圧が印加された湿度センサー１５０の出力が湿度センサー１５０の故障を示す値になった場合に、湿度センサー１５０が故障していると判断する。このように、駆動電圧印加時の湿度センサー１５０の出力および確認用電圧印加時の湿度センサー１５０の出力の両方に基づき湿度センサー１５０が故障しているか否かの検知を行うことによって、誤検知を低減することができる。
【００６７】
今回開示された実施形態は、すべての点で例示であって、制限的なものではないと考えられるべきである。本発明の範囲は、上記実施形態の説明ではなく特許請求の範囲によって示され、さらに、特許請求の範囲と均等の意味および範囲内でのすべての変更が含まれる。
【符号の説明】
【００６８】
１００  画像形成装置
１０６  印刷部
１０７  操作パネル（取得部）
１１０  主制御部（湿度検知部）
１１０ａ  電圧生成部
１１３  記憶部
１１４  ＲＴＣ（計時部）
１２０  通信部（取得部）
１５０  湿度センサー
【図１】
2014123003.tif 000003
【図２】
2014123003.tif 000004
【図３】
2014123003.tif 000005
【図４】
2014123003.tif 000006
【図５】
2014123003.tif 000007